(57)【要約】  本発明は、光学配置および触覚部を含む調節型眼内レンズであって、レンズが、触覚部の少なくとも１つによる光学配置の少なくとも１つの部分の運動による可変焦点に適しており、触覚部が、毛様体塊から光学配置へ運動を伝達するように適合された部分を含む、調節型眼内レンズに関する。これは、特に水晶体嚢を避けるレンズの位置に関して、可変レンズを動かす魅力的な方法を形成する。
2013510697.tif 000002
【特許請求の範囲】
【請求項１】
光学配置および触覚部を含む調節型眼内レンズであって、前記触覚部の少なくとも１つによる前記光学配置の少なくとも１つの部分の運動または変形による可変焦点に適している調節型眼内レンズにおいて、前記触覚部が、毛様体塊から前記光学配置へ運動を伝達するように適合されている部分を含むことを特徴とする、調節型眼内レンズ。
【請求項２】
前記触覚部が、前記塊に直接接触するように適合されている結合部品を含むことを特徴とする、請求項１に記載のレンズ。
【請求項３】
前記触覚部が、溝内への配置に適したフランジを含むことを特徴とする、請求項１または２に記載のレンズ。
【請求項４】
リムが、前記毛様体塊と接触するように適合された突出部分を含むことを特徴とする、請求項３に記載のレンズ。
【請求項５】
構造が、光学配置の少なくとも１つの光学素子の並進運動により焦点合わせ能力を変化させるように適合された前記光学素子を並進運動させるように適合されていることを特徴とする、請求項１、２、３または４に記載のレンズ。
【請求項６】
前記構造が、光学配置の少なくとも１つの光学素子のシフトによって焦点ぼけを変化させるように適合された前記光学素子をシフトさせるように適合されていることを特徴とする、請求項１、２、３または４に記載のレンズ。
【請求項７】
前記構造が、光学配置の少なくとも１つの光学素子の変形により焦点ぼけを変化させるように適合された前記光学素子を変形させるように適合されていることを特徴とする、請求項１、２、３または４に記載のレンズ。
【請求項８】
前記構造が、光学配置の少なくとも１つの光学素子の回転によって焦点ぼけを変化させるように適合された前記光学素子を回転させるように適合されていることを特徴とする、請求項１、２、３または４に記載のレンズ。
【発明の詳細な説明】
【技術分野】
【０００１】
調節型眼内レンズ、あるいは調節型レンズ構造（以下：「調節型レンズ」）は、眼の天然の水晶体と交換されてその調節機能を修復するものである。調節型レンズは、可変の焦点合わせ能力（focusing power）（「焦点合わせ」）のための光学配置と、眼内に位置決めしかつ眼筋によって光学配置を作動させるための少なくとも１つの取付部品（「触覚部（haptic）」）とを含む。例えば、触覚要素は、毛様体筋の運動を光学配置の運動に変換できる。レンズを水晶体嚢（capsular bag）（「嚢」）の内側または嚢の外側に位置決めできる。調節は、接続組織：毛様体突起および小帯を介して毛様体筋（「筋肉」）によって行われる。毛様体塊（Ciliary mass）、すなわち「塊」は、前記毛様体筋、毛様体突起、小帯および支持組織の組み合わせを指す。
【背景技術】
【０００２】
現在のほとんどの調節型レンズでは、レンズを水晶体嚢内に位置決めし、かつ（１）−嚢を介して塊の運動をレンズに伝達し、（２）−嚢がレンズと毛様体塊とを分離させる。本明細書で説明される調節型レンズでは、（１）−毛様体塊の運動がレンズに直接伝達され、（２）−レンズと毛様体塊が直接接触している。
【発明の概要】
【課題を解決するための手段】
【０００３】
本発明は、塊の平面において、嚢の外側に位置決めされた調節型レンズ、調節型レンズ構造であって、少なくとも１つの光学素子によって焦点合わせ能力を変化させる光学配置と、溝（sulcus）内に位置決めするためのフランジとし得る少なくとも１つのリム、および少なくとも１つの結合部品を含む少なくとも１つの触覚部と、支持部品とを含み、結合部品は、塊から光学配置へ運動を伝達するように適合されて、塊を直接接触させ、かつ一方の端部においてリムに接続され、他方の端部において光学配置に接続される、調節型レンズ、調節型レンズ構造に関する。それゆえ、本発明は、光学配置の少なくとも一部分の運動によって焦点合わせ能力を変化させるように適合された少なくとも１つの光学配置と、眼の塊に接触するように適合された少なくとも１つのリム、およびリムを光学配置の少なくとも一部分に接続する少なくとも１つの結合部品を含む少なくとも１つの触覚部とを含む調節型レンズ構造であって、触覚部は、塊から光学配置の少なくとも一部分まで運動を伝達するように適合されている、調節型レンズ構造を提供する。光学配置の部分の運動は、光学配置の前記部分の変形を包含すると理解される。さらに、特にリムがモノリシックの場合の、リムの運動は、リムおよびおそらく結合部品の変形を含むとみなされる。
【０００４】
可変焦点用の光学配置は、効果的な少なくとも１つの光学素子を含んでもよい。これは、少なくとも１つの移動光学素子の運動、または可変形状を有する少なくとも１つの光学素子の変形を意味する。この運動は：（i）例えば、米国特許出願公開第2002-107,568号明細書、米国特許出願公開第2007-108,643号明細書、米国特許出願公開第2004-215,340号明細書、米国特許第6,197,059号明細書、米国特許第5,674,282号明細書，または米国特許第5,275,623号明細書にあるような、すなわち、調節型レンズの光軸に沿った軸方向運動（「並進運動」）；（ii）例えば、米国特許出願公開第2008-046,076号明細書、国際公開第2008/091152号パンフレット、国際公開第2009/051477号パンフレット、米国特許出願公開第2008-215,146号明細書、米国特許出願公開第2009-062,912号明細書、国際公開第2006/118452号パンフレットおよび国際公開第2008/071760号パンフレットに説明されているような、すなわち光軸に垂直な単軸に沿った横方向運動（「シフト」）；（iii）例えば、国際公開第2005/084587号パンフレットおよび国際公開第2008/077795号パンフレットに説明されているような、ファン（fan）のような回転面の回転運動（「回転」）（この面の数学的な説明はまた、Adjustable refractive power from diffractive moire elements, S. Bernet and M. Ritsch-Marte, Appl. Opt. 47, 3722-3730, 2008においても与えられている）とし得る。可変形状、例えば、光学素子の曲率半径の変動は、例えば、米国特許出願公開第2007-106,377号明細書に説明されているように、光学素子またはその任意の部分の機械的変形（「変形」）から生じ得る。レンズ構成に含まれた光学配置は、説明のメカニズム（並進運動、シフト、回転または変形）のいずれかを、ならびに説明のメカニズムの任意の組み合わせを用いるように適合され、可変焦点効果をもたらす必要がある。可変焦点のメカニズムは、少なくとも１つの光学素子に適用できる。
【０００５】
続いて、本発明を、添付の図面を用いて説明する。
【図面の簡単な説明】
【０００６】
【図１】正視位置に２つの並進運動する光学素子を含む第１の実施形態の断面図である。
【図２】調節位置にある、図１と同様の図である。
【図３】正視位置にある、変形可能なレンズを含む第２の実施形態の断面図である。
【図４】調節位置にある、図３と同様の図である。
【発明を実施するための形態】
【０００７】
図１は、ヒトの眼１を示し、眼の虹彩２、溝３、塊４、筋肉５（突起および小帯）および水晶体嚢６を示す。さらに、図面は、前側光学素子７、後側光学素子８、および触覚部（フランジ９、リム１０、および結合部品、この例では光学素子７、８の双方を接続するいくつものスプリング１６を含む）を含む調節型レンズを含む。ここで、フランジ９は、溝３内に延在して、触覚部、従って調節型レンズを固定するように適合されている。この実施形態では、リム１０は、フランジの一部として存在する。毛様体塊は、結合要素１６に接触するように適合されている。さらに、矢印１１は塊間の距離を示す一方、矢印１２は、光軸の方向における光学素子７と８との間の距離を示す。
【０００８】
調節型レンズのほとんどの部分、例えば光学素子７、８は実質的に円形状を有するが、結合要素は、スプリングとして機能しかつ両光学素子７、８を接続する、限られた数、例えば２つ、３つまたは４つのアーム１６を含むことが明白である。さらに、リム１０およびフランジ９はまた、円の一周のうちの限られた角度のセクタにわたって延在してもよい。この実施形態のレンズは、光軸の方向における光学素子７と８との間の距離によって光学的強度（optical strength）が変化するタイプである。図面では、前側光学素子７は、正の光学的強度を有する一方、後側光学素子８は、負の光学的強度を有する；しかしながら、両光学素子７、８とも正の光学的強度を有することが可能である。
【０００９】
図１に示す状況では、筋肉５および毛様体塊４は伸張しており、水晶体１は弛緩しており、光学素子７、８間の距離は小さく、および調節能力は低い。
【００１０】
スプリング１６は、毛様体塊の運動を後側光学素子に伝えるように適合されているため、毛様体塊の収縮が、後側光学素子８の、光軸の方向において前側光学素子７から離れるような軸方向運動をもたらす。ここでは、毛様体塊が収縮しているときには、スプリング１６またはリム１０は毛様体塊に接触していない可能性があってもよいことを留意されたい。そこで、毛様体塊は、スプリングまたはリムに接触する前に、短い経路にわたって収縮する必要があり、毛様体塊がリムまたはスプリングに接触した後、その運動が伝達される。そこで、図２に示す状況が得られる；ここでは、筋肉５および塊４が収縮しており、結合部品１６のアームが収縮して、後側光学素子８を、光軸の方向において前側光学素子７から離れるように作用しているため、光学素子７、８間の距離は大きく、調節能力が高い。
【００１１】
図３に示す実施形態は、変形可能な光学素子１５のみを備えるレンズを含む。さらに、触覚部が実質的に異なる。この実施形態では、リム１０はフランジ９よりも厚みがあるため、リム１０はフランジ９に対して突出している。突出フランジ９は、収縮している間は接触しているため、毛様体塊の収縮によって、フランジへ、従って光学素子１５へ力が加えられる。この光学素子は、半径の低減により光学素子１５が膨れる種類のレンズを形成するため、レンズの光学的強度は高くなる。図３は、筋肉５および毛様体塊４が伸張し、光学素子１５が、大きな半径で弛緩しているために比較的平坦になっており、およびレンズの調節能力が低い状況を示している。
【００１２】
図４は、同じ実施形態であるが、調節中の実施形態を示す。筋肉５および毛様体塊４は収縮しており、光学素子１５は、リム１０を含む触覚部によって圧縮されている。従って、光学素子１５の半径は小さく、および調節能力は高い。
【００１３】
上述の実施形態は、触覚系の異なる実施形態を参照し、および光学系の異なる実施形態を参照する。触覚系および光学系の実施形態を他の組み合わせで使用できる。本発明はまた、光軸に垂直な方向における光学素子の相互シフトが光学的強度に変化をもたらすタイプのレンズ、および相互回転が光学的強度に変化をもたらすタイプのレンズのような、可変焦点を備える他のレンズにも適用可能であることが明白である。
【図１】
2013510697.tif 000003
【図２】
2013510697.tif 000004
【図３】
2013510697.tif 000005
【図４】
2013510697.tif 000006
【国際調査報告】
2013510697.tif 000007
2013510697.tif 000008
2013510697.tif 000009